(57)【要約】【課題】カメラ付き携帯端末装置等をルーペのように使用して、撮像した画像を拡大表示させる際に、拡大表示開始時の拡大画像を直感的、かつ、容易に表示させること。【解決手段】画像拡大部１０３は、撮像部１０１によって撮像された画像の一部を拡大した拡大画像を生成し、相対位置算出部１０２は、画像拡大操作開始時の携帯端末装置１００の原点位置、および、画像拡大操作開始時の携帯端末装置１００の位置に対する現在の携帯端末装置１００の相対位置を算出し、画像保持部１０４は、画像拡大開始操作時の拡大画像をその拡大画像の位置情報とともに保持し、表示制御部１０５は、相対位置が原点位置より離れた後再び原点位置の近傍付近に戻ったときに、画像保持部１０４に保持された拡大画像を、撮像部１０１によって撮像された画像に重ねて表示部１０６に表示させる。【選択図】図１
2011151649.tif 000002
【特許請求の範囲】
【請求項１】
操作ボタンと、
画像を逐次撮像する撮像手段と、
前記操作ボタンの操作に応じて、前記撮像手段によって撮像された前記画像の一部を拡大した拡大画像を生成する拡大手段と、
前記撮像手段によって撮像された前記画像に前記拡大画像を重ねて表示手段に表示させる表示制御手段と、
前記操作ボタンの操作開始時の前記拡大画像を保持するとともに、前記操作開始時の前記拡大画像の位置を第１位置として保持する保持手段と、
前記第１位置に対する前記拡大画像の現在の相対的な位置を第２位置として逐次算出する算出手段と、を具備し、
前記表示制御手段は、前記第２位置が前記第１位置より離れた後再び前記第１位置の近傍付近に戻ったときに、前記保持手段に保持された前記拡大画像を、前記撮像手段によって撮像された前記画像に重ねて前記表示手段に表示させる、
携帯端末装置。
【請求項２】
前記表示制御手段は、前記第１位置を示す画像を、前記撮像手段によって撮像された前記画像にさらに重ねて前記表示手段に表示させる、
請求項１記載の携帯端末装置。
【請求項３】
前記表示制御手段は、前記第２位置に対する前記第１位置の方向を示す画像を、前記撮像手段によって撮像された前記画像にさらに重ねて前記表示手段に表示させる、
請求項１記載の携帯端末装置。
【請求項４】
撮像対象と前記携帯端末装置との間の距離を計測する計測手段を、さらに具備し、
前記算出手段は、前記距離の変化に応じて前記第２位置を補正する、
請求項１記載の携帯端末装置。
【発明の詳細な説明】
【技術分野】
【０００１】
本発明は、携帯端末装置に関する。
【背景技術】
【０００２】
従来技術として、カメラ付き携帯端末装置をルーペのように使用して、撮像した画像を拡大表示させるものがある（例えば、特許文献１参照）。この従来技術では、画像拡大部が、撮像部によって逐次撮像された画像の任意の部分を拡大して表示部に表示させる。
【先行技術文献】
【特許文献】
【０００３】
【特許文献１】特開２００２−３７４４５０号公報
【発明の概要】
【発明が解決しようとする課題】
【０００４】
しかしながら、上記従来技術では、拡大表示開始位置の画像を再度表示させるには、ユーザは携帯端末装置を拡大表示開始位置に戻した上で、表示された拡大画像を頼りに微妙な位置調整を行う必要があるため、ユーザの使い勝手が悪いという課題を有していた。
【０００５】
本発明の目的は、拡大表示開始時の拡大画像を直感的、かつ、容易に表示させることができる携帯端末装置を提供することである。
【課題を解決するための手段】
【０００６】
本発明の携帯端末装置は、操作ボタンと、画像を逐次撮像する撮像手段と、前記操作ボタンの操作に応じて、前記撮像手段によって撮像された前記画像の一部を拡大した拡大画像を生成する拡大手段と、前記撮像手段によって撮像された前記画像に前記拡大画像を重ねて表示手段に表示させる表示制御手段と、前記操作ボタンの操作開始時の前記拡大画像を保持するとともに、前記操作開始時の前記拡大画像の位置を第１位置として保持する保持手段と、前記第１位置に対する前記拡大画像の現在の相対的な位置を第２位置として逐次算出する算出手段と、を具備し、前記表示制御手段は、前記第２位置が前記第１位置より離れた後再び前記第１位置の近傍付近に戻ったときに、前記保持手段に保持された前記拡大画像を、前記撮像手段によって撮像された前記画像に重ねて前記表示手段に表示させる。
【発明の効果】
【０００７】
本発明によれば、拡大表示開始時の拡大画像を直感的、かつ、容易に表示させることができる。
【図面の簡単な説明】
【０００８】
【図１】本発明の実施の形態１に係る携帯端末装置の構成図
【図２Ａ】本発明の実施の形態１に係る携帯端末装置の表示画面例（例１）
【図２Ｂ】本発明の実施の形態１に係る携帯端末装置の表示画面例（例２）
【図２Ｃ】本発明の実施の形態１に係る携帯端末装置の表示画面例（例３）
【図３】本発明の実施の形態２に係る携帯端末装置の表示画面例
【図４】本発明の実施の形態３に係る携帯端末装置の表示画面例
【図５】本発明の実施の形態４に係る携帯端末装置の構成図
【発明を実施するための形態】
【０００９】
以下、本発明を実施するための形態について、図面を参照しながら説明する。
【００１０】
（実施の形態１）
図１に、本実施の形態に係る携帯端末装置１００の構成を示す。
【００１１】
携帯端末装置１００において、撮像部１０１は、逐次画像を撮像し、撮像した画像を画像拡大部１０３および表示制御部１０５に出力する。
【００１２】
画像拡大部１０３は、携帯端末装置１００のユーザによる操作ボタン（図示せず）の所定の開始操作（画像拡大開始操作）に応じて、撮像部１０１によって撮像された画像の一部をユーザの任意の倍率に拡大した拡大画像を逐次生成し、逐次生成した拡大画像を表示制御部１０５に出力する。また、画像拡大部１０３は、画像拡大開始操作時には、拡大画像を画像保持部１０４にも出力する。画像拡大部１０３は、生成した拡大画像に、相対位置算出部１０２から出力される位置情報を付加して表示制御部１０５および画像保持部１０４に出力する。
【００１３】
相対位置算出部１０２は、画像拡大操作開始時の携帯端末装置１００の位置（すなわち、画像拡大操作開始時の拡大画像の位置）を示す位置情報を画像拡大部１０３に出力する。画像拡大操作開始時の位置情報は、ＸＹ平面上（二次元平面上）の原点位置（０，０）とする。また、相対位置算出部１０２は、画像拡大操作開始時の携帯端末装置１００の位置に対する現在の携帯端末装置１００の相対位置（すなわち、画像拡大操作開始時の拡大画像の位置に対する現在の拡大画像の相対位置）を逐次算出し、逐次算出した相対位置を示す位置情報を画像拡大部１０３に出力する。この相対位置は、原点位置（０，０）に対する相対位置（Ｘ，Ｙ）として逐次算出される。相対位置算出部１０２は、例えば加速度センサーによって構成され、携帯端末装置１００の加速度と、画像拡大開始操作時からの経過時間とから相対位置を算出する。
【００１４】
画像保持部１０４は、画像拡大開始操作時の拡大画像をその拡大画像の位置情報（０，０）とともに保持する。
【００１５】
表示制御部１０５は、撮像部１０１によって撮像された画像に、画像拡大部１０３によって生成された拡大画像を重ねて表示部１０６に表示させる。また、表示制御部１０５は、相対位置算出部１０２によって逐次算出される相対位置（Ｘ，Ｙ）が、原点位置（０，０）より離れた後再び原点位置（０，０）の近傍付近に戻ったときに、画像保持部１０４に保持された拡大画像（すなわち、画像拡大開始操作時の拡大画像）を、撮像部１０１によって撮像された画像に重ねて表示部１０６に表示させる。相対位置の閾値（Ｘ’，Ｙ’）が予め定められており、表示制御部１０５は、相対位置（Ｘ，Ｙ）が閾値（Ｘ’，Ｙ’）を一度超えた後、再び閾値（Ｘ’，Ｙ’）以下となったときに、相対位置（Ｘ，Ｙ）が原点位置（０，０）の近傍付近に戻ったと判断し、画像保持部１０４に保持された拡大画像を、撮像部１０１によって撮像された画像に重ねて表示部１０６に表示させる。
【００１６】
次いで、携帯端末装置１００の動作について図２Ａ〜Ｃを用いて説明する。
【００１７】
図２Ａ〜Ｃにおいて、２０１は撮像対象、２０２は撮像対象２０１における撮像部１０１の撮像領域、２０３は撮像領域２０１における拡大表示領域を示す。
【００１８】
まず、図２Ａに示すように、画像拡大開始操作時には、表示部１０６には、撮像部１０１が撮像した画像２０２−１に、画像拡大部１０３が画像２０３−１を拡大して生成した拡大画像２１が重ねて表示される。このとき、拡大画像２１は位置情報（０，０）とともに画像保持部１０４に保持される。
【００１９】
次いで、図２Ｂに示すように、ユーザによって携帯端末装置１００が撮像対象２０１上を移動させられ、例えば撮像領域２０２が撮像対象２０１の右下方向に移動した場合には、表示部１０６には、撮像部１０１が撮像した画像２０２−２に、画像拡大部１０３が画像２０３−２を拡大して生成した拡大画像２２が重ねて表示される。また、このときの相対位置（Ｘ，Ｙ）は、閾値（Ｘ’，Ｙ’）を超えているものとする。
【００２０】
そして、図２Ｃに示すように、ユーザによって携帯端末装置１００が撮像対象２０１上を再び移動させられ、例えば撮像領域２０２が図２Ｂの相対位置より左上方向に移動して、相対位置（Ｘ，Ｙ）が再び閾値（Ｘ’，Ｙ’）以下となった場合には、表示部１０６には、撮像部１０１が撮像した画像２０２−３に、画像拡大部１０３が画像２０３−３を拡大して生成した拡大画像ではなく、画像保持部１０４に保持されている拡大画像２１が重ねて表示される。
【００２１】
このように、本実施の形態によれば、撮像領域が拡大表示開始時の撮像領域近傍に戻ったときに拡大表示開始時の拡大画像が再度表示されるため、ユーザが拡大表示開始時の位置に携帯端末装置を戻したいときに携帯端末装置の位置を微妙に調整する必要なく拡大表示開始時の拡大画像を表示させることができる。つまり、本実施の形態によれば、ユーザは、拡大表示開始時の画像を直感的、かつ、容易に表示させることができる。
【００２２】
（実施の形態２）
本実施の形態では、表示制御部１０５は、原点位置（０，０）を示す画像を、撮像部１０１によって撮像された画像にさらに重ねて表示部１０６に表示させる。
【００２３】
すなわち、表示制御部１０５は、図３に示すように、撮像部１０１が撮像した画像２０２−４に、画像拡大部１０３が画像２０３−４を拡大して生成した拡大画像２４、および、原点位置（０，０）を示す画像３０１を重ねて表示部１０６に表示させる。
【００２４】
このように、本実施の形態によれば、ユーザは原点位置（０，０）を示す画像を頼りにして拡大表示開始時の位置に携帯端末装置を戻すことができるため、ユーザの利便性が向上する。
【００２５】
（実施の形態３）
本実施の形態では、表示制御部１０５は、相対位置（Ｘ，Ｙ）に対する原点位置（０，０）の方向を示す画像を、撮像部１０１によって撮像された画像にさらに重ねて表示部１０６に表示させる。
【００２６】
すなわち、表示制御部１０５は、図４に示すように、撮像部１０１が撮像した画像２０２−２に、画像拡大部１０３が画像２０３−２を拡大して生成した拡大画像２２、および、相対位置（Ｘ，Ｙ）に対する原点位置（０，０）の方向を示す方向指示画像４０１を重ねて表示部１０６に表示させる。
【００２７】
さらに、表示制御部１０５は、携帯端末装置１００が所定時間移動しない場合、または、原点位置（０，０）に対して相対位置（Ｘ，Ｙ）が増加する場合は、方向指示画像４０１の表示を止める。
【００２８】
このように、本実施の形態によれば、ユーザは原点位置（０，０）の方向を示す画像を頼りにして拡大表示開始時の位置に携帯端末装置を戻すことができるため、ユーザの利便性が向上する。
【００２９】
（実施の形態４）
ユーザが携帯端末装置を移動させる際に、撮像対象と携帯端末装置との間の距離を一定に保ちながら移動させることは難しい。携帯端末装置の移動の際に撮像対象と携帯端末装置との間の距離が変化してしまうと、相対位置算出部１０２が算出する相対位置（Ｘ，Ｙ）に誤差が生じる。
【００３０】
そこで、本実施の形態に係る携帯端末装置５００は、図５に示す構成を採る。
【００３１】
すなわち、携帯端末装置５００において、距離計測部５０１は、撮像対象と携帯端末装置５００との間の距離を逐次計測し、計測結果を相対位置算出部１０２に出力する。
【００３２】
相対位置算出部１０２は、算出した相対位置（Ｘ，Ｙ）を、撮像対象と携帯端末装置５００との間の距離の変化に応じて補正する。具体的には、例えば、操作開始時の撮像対象と携帯端末装置５００との間の距離をＺ１、ユーザが携帯端末装置５００を移動させたときの撮像対象と携帯端末装置５００との間の距離をＺ２、Ｚ２とＺ１との差分をＺとし、補正された相対位置を（Ｘ'，Ｙ'）とする。ここで撮像対象は紙などの２次元平面上に広がっているものとする。相対位置（Ｘ，Ｙ）は、原点位置（０，０）と携帯端末装置５００とを含む２次元平面Ａでの座標であり、補正された相対位置（Ｘ'，Ｙ'）は、撮像対象を含む２次元平面Ｂでの座標である。平面ＡのＸ軸と平面ＢのＸ'軸とを同じに設定すると、Ｘ'＝Ｘ，Ｙ'＝√（Ｙ2−Ｚ2）と算出することで、（Ｘ，Ｙ）を（Ｘ'，Ｙ'）に補正することができる。
【００３３】
このように、本実施の形態によれば、携帯端末装置の移動の際に撮像対象と携帯端末装置との間の距離が変化してしまう場合でも、正確な相対位置を得ることができる。
【産業上の利用可能性】
【００３４】
本発明は、カメラ付き携帯電話等の携帯端末装置等に利用することができる。
【符号の説明】
【００３５】
１００，５００  携帯端末装置
１０１  撮像部
１０２  相対位置算出部
１０３  画像拡大部
１０４  画像保持部
１０５  表示制御部
１０６  表示部
５０１  距離計測部
【図１】
2011151649.tif 000003
【図２Ａ】
2011151649.tif 000004
【図２Ｂ】
2011151649.tif 000005
【図２Ｃ】
2011151649.tif 000006
【図３】
2011151649.tif 000007
【図４】
2011151649.tif 000008
【図５】
2011151649.tif 000009